(57)【要約】【課題】画像データを記録媒体に記録させる際に生じた異常を確実にユーザに報知することができるデータ処理装置、およびデータ処理方法を提供する。【解決手段】記録媒体１８に記録させる画像データの生成に係る処理の異常を検出する異常検出部１９３と、異常検出部１９３による検出結果に基づいて異常を報知する異常報知画像データＤｅｒｒを生成し、当該生成した異常報知画像データＤｅｒｒを記録媒体１８に記録させる異常報知画像生成部１９４とを設ける。【選択図】図２
2005198015.tif 000002
【特許請求の範囲】
【請求項１】
入力データを基に画像データを生成し、前記画像データを記録媒体に記録させるデータ処理装置であって、
前記記録媒体に記録させる画像データの生成に係る処理の異常を検出する異常検出手段と、
前記異常検出手段による検出結果に基づいて前記異常を報知する異常報知画像データを生成し、当該生成した異常報知画像データを前記記録媒体に記録させる異常報知画像生成手段と
を有するデータ処理装置。
【請求項２】
前記異常報知画像生成手段は、前記異常検出手段による検出結果に応じた色、文字情報、時刻情報のいずれかを含む前記異常報知画像データを生成し、当該生成した異常報知画像データを前記記録媒体に記録させる
請求項１に記載のデータ処理装置。
【請求項３】
前記異常検出手段は、前記入力データとしての動画像データに含まれる同期信号に基づいて静止画像データを前記画像データとして生成する際の前記同期信号の異常の有無を検出し、
前記異常報知画像生成手段は、前記異常検出手段による検出結果に基づいて前記異常を報知する前記異常報知画像データを生成する
請求項１に記載のデータ処理装置。
【請求項４】
前記異常検出手段は、前記入力データを基に所定の画像サイズの画像データを生成する際の異常の有無を検出し、
前記異常報知画像生成手段は、前記異常検出手段による検出結果に基づいて前記異常を報知する前記異常報知画像データを生成する
請求項１に記載のデータ処理装置。
【請求項５】
前記異常検出手段は、前記入力データを基に前記記録媒体に記録させる画像データを生成する際の画像圧縮処理の異常の有無を検出し、
前記異常報知画像生成手段は、前記異常検出手段による検出結果に基づいて前記異常を報知する前記異常報知画像データを生成する
請求項１に記載のデータ処理装置。
【請求項６】
前記異常検出手段は、前記記録媒体の記録容量と画像データのデータ量に基づいて、前記画像データを前記記録媒体に記録する際の異常の有無を検出し、
前記異常報知画像生成手段は、前記異常検出手段による検出結果に基づいて前記異常を報知する前記異常報知画像データを生成する
請求項１に記載のデータ処理装置。
【請求項７】
前記記録媒体に記録された前記異常報知画像データおよび前記異常検出手段による前記検出結果のいずれかを表示する表示手段を有する
請求項１に記載のデータ処理装置。
【請求項８】
入力データを基に画像データを生成し、前記画像データを記録媒体に記録させるデータ処理装置のデータ処理方法であって、
前記記録媒体に記録させる画像データの生成に係る処理の異常を検出する第１のステップと、
前記第１のステップによる検出結果に基づいて前記異常を報知する異常報知画像データを生成し、当該生成した異常報知画像データを前記記録媒体に記録させる第２のステップと
を有するデータ処理方法。
【発明の詳細な説明】
【技術分野】
【０００１】
本発明は、例えば、カードメディア等の記録媒体に記録させる画像データを生成し、その画像データを記録媒体に記録させるデータ処理装置、およびデータ処理方法に関する。
【背景技術】
【０００２】
従来、例えばテレビジョン放送による放送電波を受信し、その放送電波を基に動画像データを表示するテレビジョン受像装置が知られている。
また、その動画像データを基に所定のタイミングの静止画の画像データを生成し、例えば可搬型の半導体メモリ等の記録媒体に記録するテレビジョン受像装置やデータ処理装置が知られている。この記録媒体に記録された画像データは、別のデータ処理装置で表示したり、プリントアウト等の出力が可能である。
【発明の開示】
【発明が解決しようとする課題】
【０００３】
上述したデータ処理装置は、記録媒体に画像データを記録させる際に、何らかの原因により上述した記録媒体に記録する画像データを生成できない等の異常や障害が発生する場合があり、その場合には記録媒体には正常に画像データが記録されずに、その異常を示すメッセージを表示部に表示したり、異常を示す警告音等を発音することでユーザにその旨を報知する。
【０００４】
しかし、ある程度時間経過後に、ユーザはデータ処理装置に表示されたメッセージや警告音による報知を忘れて、記録媒体から正常に画像データが読み出せないことを理解できない場合があり、改善が望まれている。
【０００５】
本発明は、かかる事情に鑑みてなされたものであり、その目的は、画像データを記録媒体に記録させる際に生じた異常を確実にユーザに報知することができるデータ処理装置、およびデータ処理方法を提供することにある。
【課題を解決するための手段】
【０００６】
前記目的を達成するために、本発明の第１の観点のデータ処理装置は、入力データを基に画像データを生成し、前記画像データを記録媒体に記録させるデータ処理装置であって、前記記録媒体に記録させる画像データの生成に係る処理の異常を検出する異常検出手段と、前記異常検出手段による検出結果に基づいて前記異常を報知する異常報知画像データを生成し、当該生成した異常報知画像データを前記記録媒体に記録させる異常報知画像生成手段とを有する。
【０００７】
さらに、前記目的を達成するために、本発明の第２の観点のデータ処理方法は、入力データを基に画像データを生成し、前記画像データを記録媒体に記録させるデータ処理装置のデータ処理方法であって、前記記録媒体に記録させる画像データの生成に係る処理の異常を検出する第１のステップと、前記第１のステップによる検出結果に基づいて前記異常を報知する異常報知画像データを生成し、当該生成した異常報知画像データを前記記録媒体に記録させる第２のステップとを有する。
【０００８】
本発明によれば、第１のステップにおいて、異常検出手段が記録媒体に記録させる画像データの生成に係る処理の異常を検出すると、第２ステップにおいて、異常報知画像生成手段は、異常検出手段による検出結果に基づいて異常を報知する異常報知画像データを生成し、当該生成した異常報知画像データを記録媒体に記録させて異常を報知する。
【発明の効果】
【０００９】
本発明によれば、画像データを記録媒体に記録させる際に生じた異常を確実にユーザに報知することができるデータ処理装置、およびデータ処理方法を提供することができる。
【発明を実施するための最良の形態】
【００１０】
本発明に係るデータ処理装置は、入力データを基に画像データを生成し、画像データを記録媒体に記録させる。この際、記録媒体に記録させる画像データの生成に係る処理の異常を検出し、その検出結果に基づいて異常を報知する異常報知画像データを生成し、当該生成した異常報知画像データを記録媒体に記録させる。
以下、図面を参照しながら、本発明の一実施形態を説明する。
【００１１】
図１は、本発明に係るデータ処理装置を採用した画像記録再生装置の一実施形態を示す機能ブロック図である。
本実施形態に係る画像記録再生装置（データ処理装置）１は、例えば図１に示すように、入力信号受信部１０、アナログデジタル変換部（Ａ／Ｄ）１１、入力信号処理部１２、メモリ１３、入力部１４、出力信号制御部１５、表示部１６、記録媒体制御部１７、記録媒体（カードメディア）１８、およびシステム制御部１９を有する。
【００１２】
入力信号受信部１０は、システム制御部１９の制御により、例えばテレビジョン放送の受信装置から動画像データ等の入力信号Ｓ１が入力されると、信号Ｓ２としてＡ／Ｄ１１に出力する。
Ａ／Ｄ１１は、システム制御部１９の制御により、信号Ｓ２を基にアナログデータからデジタルデータに変換し、変換結果を信号Ｓ３として、入力信号処理部１２に出力する。
入力信号Ｓ１から信号Ｓ３の変換において、各信号としての動画像データには同期信号が含まれており、その同期信号も上記構成要素により各信号形式に応じた同期信号に変換され、各信号の一部として出力される。
【００１３】
入力信号処理部１２は、システム制御部１９の制御により、入力された信号Ｓ３を、メモリ１３に画像データＤ１として記録させる。
詳細には、例えば入力信号処理部１２は、信号Ｓ３に含まれる同期信号をトリガとして、信号Ｓ３をフレーム単位で取り込む。取り込んだ画像データＤ１は、メモリ１３に転送される。
また、入力信号処理部１２は、信号Ｓ３に含まれる同期信号を検出の有無を示す信号Ｂ１をシステム制御部１９に出力する。
【００１４】
メモリ１３は、例えばＲＡＭ（Random Access Memory）やＲＯＭ（Read Only Memory）等により構成され、例えばシステム制御部１９のワークエリアとして用いられる。
【００１５】
入力部１４は、例えばユーザによる操作に応じた信号Ｓ４をシステム制御部１９に入力する。例えば入力部１４は、キーボードやリモートコントローラや、マウス等の操作入力装置である。
システム制御部１９は、入力部１４から入力された信号Ｓ４を基に、各構成要素の制御を行う。
【００１６】
出力信号制御部１５は、システム制御部１９の制御により、例えば入力された画像データＤ４に基づいて、表示部１６に表示させるための画像データＳ５に変換し、画像データＳ５を表示部１６に出力する。
表示部１６は、出力信号制御部１５から入力された画像データＳ５に応じた画像を表示する。例えば表示部１６は、少なくとも記録媒体１８に記録された異常報知画像データＤｅｒｒおよび後述する異常検出部による検出結果のいずれかを表示する。
例えば表示部１６は、液晶ディスプレイやプラズマディスプレイＰＤＰやＣＲＴ（Cathode Ray Tube）等の表示装置により構成される。
【００１７】
記録媒体制御部１７は、システム制御部１９の制御により、記録媒体１８にデータを記録させ、および記録媒体１８に記録されているデータを読み出し、システム制御部１９に出力する。
【００１８】
記録媒体１８は、例えば、半導体メモリや、ハードディスクドライブや磁気テープ等の磁気記録型記録媒体や、光磁気記録型記録媒体で構成され、システム制御部１９および記録媒体制御部１７等の制御により、データを記録する。
例えば記録媒体１８は、例えばデータ処理装置の本体部に取付けおよび取り外し可能な可搬型の記録媒体である。
【００１９】
図２は、図１に示したデータ処理装置のシステム制御部の一実施形態に係る機能ブロック図である。
システム制御部１９は、データ処理装置全体の制御を行う。
詳細には、システム制御部１９は、図２に示すように、画像生成部１９１、画像圧縮処理（エンコード）部１９２、異常検出部１９３、および異常報知画像生成部１９４等を有する。
異常検出部１９３は本発明に係る異常検出手段に相当し、異常報知画像生成部１９４は本発明に係る異常報知画像生成手段に相当する。
【００２０】
画像生成部１９１は、入力信号処理部１２からの信号に基づいて、画像データＤ１を生成しメモリ１３に記憶する。
エンコード部１９２は、例えば本実施形態ではメモリ１３をワークエリアとして、記録媒体１８に画像データを記憶させるために所定の方式で画像圧縮処理を行い、圧縮画像データＤ２を生成し、記録媒体制御部１７を介して記録媒体１８に記録させる。
【００２１】
異常検出部１９３は、記録媒体に記録させる画像データの生成に係る処理の異常を検出し、その検出結果を示す信号Ｓ１９３を異常報知画像生成部１９４に出力する。
異常検出部１９３は、例えば図２に示すように、同期信号異常検出部１９３１、画像サイズ異常検出部１９３２、画像圧縮処理（エンコード）異常検出部１９３３、および記録媒体容量異常検出部１９３４等を有する。
【００２２】
同期信号異常検出部１９３１は、入力信号処理部１２から入力される、入力データとしての動画像データに含まれる同期信号に基づいて静止画像データを画像データとして生成する際の同期信号の異常の有無を検出し、検出結果を示す信号Ｓ１９３を出力する。
【００２３】
画像サイズ異常検出部１９３２は、例えば、入力データを基に画像生成部１９１が所定の画像サイズの画像データＤ１を生成する際の異常の有無を検出し、検出結果を示す信号Ｓ１９３を出力する。
【００２４】
画像圧縮処理（エンコード）異常検出部１９３３は、入力データを基に記録媒体１８に記録させる画像データ、例えば画像圧縮処理部１９２が圧縮画像データＤ２を生成する際の画像圧縮処理の異常の有無を検出し、検出結果を示す信号Ｓ１９３を出力する。
【００２５】
記録媒体容量異常検出部１９３４は、記録媒体１８の記録容量と画像データＤ１（Ｄ２）のデータ量に基づいて、画像データＤ１（Ｄ２）を記録媒体１８に記録する際の異常の有無を検出し、検出結果を示す信号Ｓ１９３を出力する。
具体的には、記録媒体容量異常検出部１９３４は、画像データＤ１（Ｄ２）のデータ量が、記録媒体１８の空き記憶容量よりも大きい場合には、その旨を示す信号Ｓ１９３を出力する。
【００２６】
異常報知画像生成部１９４は、異常検出部１９３による検出結果を示す信号Ｓ１９３に基づいて異常を報知する異常報知画像データＤｅｒｒを生成し、当該生成した異常報知画像データＤｅｒｒを記録媒体制御部１７を介して記録媒体１８に記録させる。
また、異常報知画像生成部１９４は、異常検出部１９３による検出結果に応じた色、文字情報、時刻情報のいずれかを含む異常報知画像データＤｅｒｒを生成し、当該生成した異常報知画像データＤｅｒｒを記録媒体１８に記録させる。
【００２７】
図３は、図１に示したデータ処理装装置の動作の一実施形態を説明するためのフローチャートである。図３を参照しながら、データ処理装置１のシステム制御部１９の動作を中心に説明する。
【００２８】
ステップＳＴ１において、システム制御部１９は、記録媒体１８に記録させる画像データの生成に係る処理の異常を検出する。
ステップＳＴ２において、ステップＳＴ１による検出結果に基づいて異常を報知する異常報知画像データＤｅｒｒを生成し、当該生成した異常報知画像データＤｅｒｒを記録媒体１８に記録させる。
【００２９】
図４は、図１に示したデータ処理装装置の動作の一具体例を説明するためのフローチャートである。図４を参照しながら、データ処理装置のより具体的な動作をシステム制御部１９の動作を中心に説明する。
本具体例ではデータ処理装置１が、例えばテレビジョンチューナ等から入力された動画像データを基に、静止画像の画像データを記録媒体１８に記憶させる画像記録再生装置の場合を説明する。
【００３０】
ステップＳＴ１１において、画像取り込みを開始する。
具体的には、例えばユーザにより、入力信号Ｓ１の任意のフレームを静止画像データとして記録媒体１８に記録させる操作に応じた信号Ｓ４が入力部１４からシステム制御部１９に入力されると、システム制御部１９は、入力信号処理部１２に信号Ｓ３の１フレームを画像データとして取得させる制御信号を出力する。
システム制御部１９は、その制御信号を出力後、信号Ｓ３の所望の１フレームが画像として取り込まれるのを待つ。
また、同期信号異常検出部１９３１は、入力信号処理部１２に同期信号が入力されているか否かを監視する。
【００３１】
システム制御部１９の制御により、入力信号処理部１２は、システム制御部１９からの制御信号が入力された後、例えば、その直後の信号Ｓ３の内の同期信号が入力されたことを検出すると、１フレーム分の画像を画像データＤ１としてメモリ１３に転送する。
【００３２】
ステップＳＴ１２において、システム制御部１９は、画像の取り込みが完了したか否かを判別する。
具体的には、システム制御部１９は、画像の取り込みが完了していないと判別した場合には、システム制御部１９は、入力信号処理部１２からの画像取り込みが完了した通知を受け取るまで、画像データの取得を待ち続けるのを防止するために、画像取り込み指示から一定時間経過したか否かを判別し（ＳＴ１３）、一定時間経過していない場合には、ステップＳＴ１２の処理に戻る。
【００３３】
ステップＳＴ１３の判別において、一定時間経過していると判別した場合には、同期信号異常検出部１９３１により、同期信号が入力されたか否かが判別され（ＳＴ１４）、同期信号が入力されたと判別した場合には、ステップＳＴ１２の処理に戻る。
【００３４】
一方、ステップＳＴ１４の判別において、同期信号が入力されていないと判別した場合には、システム制御部１９は、入力信号処理部１２からの画像データの取り込みを解除し、異常検出部１９３は、その異常を検出したことを示す信号Ｓ１９３を異常報知画像生成部１９４に出力する。ここで異常発生時には、入力信号処理部１２からの画像データの取り込みを解除するので、記録媒体１８には正常な画像データが記録されない。
【００３５】
ステップＳＴ１５において、異常報知画像生成部１９４は、信号Ｓ１９３に応じた異常報知画像データＤｅｒｒを生成し（ＳＴ１６）、ステップＳＴ１８の処理に進む。
【００３６】
一方、ステップＳＴ１２において、システム制御部１９は、画像の取り込みが完了したと判別した場合には、画像サイズ異常検出部１９３２は、取り込まれた画像データの画像サイズが、所望の画像サイズと一致しているか否かを判別し（ＳＴ１７）、一致していないと判別した場合には、ステップＳＴ１５の処理に進む。
【００３７】
ステップＳＴ１７において、取り込まれた画像データの画像サイズが、所望の画像サイズと一致していると判別した場合には、画像生成部１９１は、入力信号処理部１２から入力された信号を基に画像データＤ１を生成してメモリ１３に記憶し、ステップＳＴ１８の処理に進む。
【００３８】
ステップＳＴ１８において、例えば、画像圧縮処理（エンコード）部１９２は、画像データや、例えば本実施形態ではメモリ１３をワークエリアとして、記録媒体１８に画像データＤ１や異常報知画像データＤｅｒｒを記録させるために所定の方式、例えばＪＰＥＧ（Joint Photographic Experts Group）方式等により画像圧縮処理を行い、圧縮画像データＤ２を生成し（ＳＴ１８）、記録媒体制御部１７を介して記録媒体１８に記録させる（ＳＴ１９）。
【００３９】
また、図示しないが、画像圧縮処理（エンコード）異常検出部１９３３は、画像圧縮処理（エンコード）部１９２が圧縮画像データＤ２を生成する際の画像圧縮処理の異常の有無を検出し、検出結果を示す信号Ｓ１９３を出力し、記録媒体容量異常検出部１９３４は、例えば圧縮処理後の画像データＤ１（Ｄ２）のデータ量が、記録媒体１８の空き記憶容量よりも大きい場合には、その旨を示す信号Ｓ１９３を出力する。
【００４０】
異常報知画像生成部１９４は、異常検出部１９３による検出結果を示す信号Ｓ１９３に応じた異常を報知する異常報知画像データＤｅｒｒを生成し、当該生成した異常報知画像データＤｅｒｒを記録媒体制御部１７を介して記録媒体１８に記録させる。
例えば、異常報知画像生成部１９４は、異常検出部１９３による検出結果に応じた色、文字情報、時刻情報のいずれかを含む異常報知画像データＤｅｒｒを生成し、当該生成した異常報知画像データＤｅｒｒを記録媒体１８に記録させる。
【００４１】
記録媒体１８に記録された異常報知画像データＤｅｒｒは、システム制御部１９の制御により、記録媒体制御部１７、出力信号制御部１５を介して表示部１６に表示され、ユーザに異常を報知する。
また、記録媒体１８に記録された画像データや異常報知画像データＤｅｒｒは、他のデータ処理装置、例えばデータ処理装置の修理等のサービスを行うサービス業者の管理するデータ処理装置により表示されてもよい。
【００４２】
以上、説明したように、記録媒体１８に記録させる画像データの生成に係る処理の異常を検出する異常検出部１９３と、異常検出部１９３による検出結果に基づいて異常を報知する異常報知画像データＤｅｒｒを生成し、当該生成した異常報知画像データＤｅｒｒを記録媒体１８に記録させる異常報知画像生成部１９４とを設けたので、画像データを記録媒体に記録させる際に生じた異常を確実にユーザに報知することができる。
異常報知画像データＤｅｒｒを記録媒体１８に記録しておくことで、当該データ処理装置１を異常発生時のままの状態に維持し続けなくても、あとから異常報知画像データＤｅｒｒを再生することにより異常が発生したことおよびその内容を認識することが可能となる。
【００４３】
また、入力信号処理部１２から入力される、入力データとしての動画像データに含まれる同期信号に基づいて静止画像データを画像データとして生成する際の同期信号の異常の有無を検出し、検出結果を示す信号Ｓ１９３を出力する同期信号異常検出部１９３１を設けたので、同期信号の異常を確実に報知することができる。
【００４４】
また、入力データを基に画像生成部１９１が所定の画像サイズの画像データＤ１を生成する際の異常の有無を検出し、検出結果を示す信号Ｓ１９３を出力する画像サイズ異常検出部１９３２を設けたので、画像サイズの異常を確実に報知することができる。
【００４５】
また、入力データを基に記録媒体１８に記録させる画像データ、例えば画像圧縮処理部１９２が圧縮画像データＤ２を生成する際の画像圧縮処理の異常の有無を検出し、検出結果を示す信号Ｓ１９３を出力する画像圧縮処理（エンコード）異常検出部１９３３を設けたので、画像圧縮処理時の異常を確実に報知することができる。
【００４６】
また、記録媒体１８の記録容量と画像データＤ１（Ｄ２）のデータ量に基づいて、画像データＤ１（Ｄ２）を記録媒体１８に記録する際の異常の有無を検出し、検出結果を示す信号Ｓ１９３を出力する記録媒体容量異常検出部１９３４を設けたので、記録媒体１８に記憶する際の異常を確実に報知することができる。
【００４７】
また、異常の検出結果に応じた色、文字情報、時刻情報のいずれかを含む異常報知画像データＤｅｒｒを記録媒体１８に記録させるので、ユーザは表示された異常報知画像データＤｅｒｒを見ることで、異常の種類を把握することができる。
【００４８】
また、画像の取り込み処理が異常により強制終了した場合に、表示部１６によりユーザに異常を示す画像やメッセージを通知してもよい。こうすることで、ユーザはより確実に異常を把握することができる。
また、本発明に係るデータ処理装置の修理等を行うサービス業者が管理するデータ処理装置で、記録媒体１８に記録されている異常を示す異常報知画像データＤｅｒｒを表示させることで、本発明に係るデータ処理装置に発生した異常を正確にサービス業者に伝えることが可能である。
【００４９】
なお、本発明は本実施形態に限られるものではなく、任意好適な改変が可能である。
例えば、記録媒体１８に記録する異常報知画像データＤｅｒｒに、異常発生時の画像データのファイル名を付加してもよい。こうすることにより、異常発生時の画像データを容易に特定することができる。
【図面の簡単な説明】
【００５０】
【図１】本発明に係るデータ処理装置を採用した画像記録再生装置の一実施形態を示す機能ブロック図である。
【図２】図１に示したデータ処理装置のソフトウェア的な機能ブロックである。
【図３】図１に示したデータ処理装装置の動作の一実施形態を説明するためのフローチャートである。
【図４】図１に示したデータ処理装装置の動作の一具体例を説明するためのフローチャートである。
【符号の説明】
【００５１】
１…データ処理装置、１０…入力信号受信部、１１…アナログデジタル変換部（Ａ／Ｄ）、１２…入力信号処理部、１３…メモリ、１４…入力部、１５…出力信号制御部、１６…表示部、１７…記録媒体制御部、１８…記録媒体（カードメディア）、１９…システム制御部、１９１…画像生成部、１９２…画像圧縮処理（エンコード）部、１９３…異常検出部、１９４…異常報知画像生成部、１９３１…同期信号異常検出部、１９３２…画像サイズ異常検出部、１９３３…画像圧縮処理（エンコード）異常検出部、１９３４…記録媒体容量異常検出部。
【図１】
2005198015.tif 000003
【図２】
2005198015.tif 000004
【図３】
2005198015.tif 000005
【図４】
2005198015.tif 000006